(57)【要約】      （修正有）【課題】収納位置から引き出し可能であるとともに，収納位置では開口箇所が覆われるようになっている蓋付き収納容器装置を，簡単な機構で提供する。【解決手段】この収納容器装置１は，収納位置から引き出し可能な上方が開口したボックス体８と，ボックス体８が収納位置にあるときにその開口を覆う蓋体５と，蓋体５に対して手前側の位置に固定して配置された前方蓋ガイド２８と，蓋体５におけるボックス体８側の面から張り出して設けられ，ボックス体８が収納位置にあるときでも引き出されていてもボックス体８に接触する接触部材２１と，ボックス体８に設けられ，接触部材２１と接するガイド面１３とを備え，さらに，蓋体５におけるボックス体８側の部位と，ボックス体８における蓋体５側の部位と，の少なくとも一方にシール部材とを有している。【選択図】図９
2020127602.tif 000002
【特許請求の範囲】
【請求項１】
奥側の収納位置から手前側の引き出し位置に引き出し可能であり，上方が開口したボッ
クス体と，
前記ボックス体が前記収納位置にあるときに前記ボックス体の開口を覆う蓋体と，
前記蓋体に対して前記ボックス体の引き出し方向の手前側の位置に固定して配置された
固定部材と，
前記蓋体における前記ボックス体側の面から張り出して設けられ，前記ボックス体が前
記収納位置にあるとき及び前記引き出し位置に引き出されたときのいずれでも前記ボック
ス体に接触する接触部材と，
前記ボックス体に設けられ，前記接触部材と接するガイド面と，
前記蓋体における前記ボックス体側の部位と，前記ボックス体における前記蓋体側を向
いた面上の部位と，の少なくとも一方に設けられ，前記ボックス体が前記収納位置にある
ときに前記ボックス体の開口を密閉するシール部材とを有することを特徴とする蓋付き収
納容器装置。
【請求項２】
請求項１に記載の蓋付き収納容器装置であって，
前記ボックス体が前記収納位置にあるときに前記接触部材の直下となる位置の凹部が，
前記ガイド面に形成されていることを特徴とする蓋付き収納容器装置。
【請求項３】
請求項２に記載の蓋付き収納容器装置であって，
前記接触部材として，
前記蓋体の重心よりも前記ボックス体の引き出し方向の手前側に配置された第１接触
部材と，
前記蓋体の重心よりも前記ボックス体の引き出し方向の奥側に配置された第２接触部
材とを有しており，
前記凹部は，前記ボックス体が前記収納位置にあるときに前記第１接触部材の直下とな
る位置および前記第２接触部材の直下となる位置のいずれにも形成されていることを特徴
とする蓋付き収納容器装置。
【請求項４】
請求項２から請求項３までのいずれか１つに記載の蓋付き収納容器装置であって，
前記凹部と前記ガイド面とを接続する傾斜領域が，前記凹部の奥側に隣接して形成され
ていることを特徴とする蓋付き収納容器装置。
【請求項５】
請求項１から請求項４までのいずれか１つに記載の蓋付き収納容器装置であって，
前記シール部材が，前記蓋体における前記ボックス体側の部位に設けられるとともに，
前記ボックス体における前記蓋体側を向いた面上の部位には設けられていないことを特徴
とする蓋付き収納容器装置。
【請求項６】
請求項１から請求項５までのいずれか１つに記載の蓋付き収納容器装置であって，
前記ボックス体が前記引き出し位置にあるときに前記蓋体の奥側端部を下から支える蓋
支え部材を有することを特徴とする蓋付き収納容器装置。
【発明の詳細な説明】
【技術分野】
【０００１】
本発明は，キッチンに備え付けて使用するのに適した蓋付き収納容器装置に関する。さ
らに詳細には，収納位置と引き出し位置との間で移動可能なボックス体を有するとともに
，収納位置では付属の蓋部材によりボックス体の開口箇所が覆われるようになっている蓋
付き収納容器装置に関するものである。
【背景技術】
【０００２】
従来のこの種の蓋付き収納容器装置の一例として，特許文献１に記載されているものを
挙げることができる。同文献の図１には，蓋付き収納容器装置の引き出し状態が一部切開
状態で描かれている。同図中の左下手前の部分が，引き出された容器部分である。収納状
態については同文献の図４に横から見た断面図として示されている。同図中に「１９」と
符番して示されているのが蓋部材である。同文献の［００５２］〜［００５３］には，収
納容器をキャビネットの奥方へ押し込むと蓋部材１９が下降していく旨が記載されている
。すなわち収納容器は押し込み位置では蓋部材１９により開口が覆われるのである。なお
，収納容器をキャビネットから引き出すと，収納容器のみが出てくる（同文献の［００５
８］）。このため，蓋部材１９を開く動作をユーザーが行うことはない。
【先行技術文献】
【特許文献】
【０００３】
【特許文献１】特許第4655720号公報
【発明の概要】
【発明が解決しようとする課題】
【０００４】
しかしながら前記した従来の技術には，次のような問題点があった。機構が複雑なので
ある。すなわち同文献の技術では上記を実現するため，その［００３７］に記述される複
雑なリンク機構を用いている。そして，収納容器を引き出し及び押し込みのいずれかの操
作により，リンク機構の動作を介して蓋部材１９が昇降するように構成されている（同文
献の［００５２］〜［００５３］）。
【０００５】
このように複雑なリンク機構を用いているので，収納容器の操作自体がユーザーには重
く感じられる可能性が高い。当該蓋付き収納容器装置はキッチン設備の一部として使用さ
れるものであるから，収納物は食材あるいはその廃棄物である可能性が高い。このためリ
ンク機構が腐食する可能性が高い。腐食すれば前述の操作感はより重くなる。腐食が進め
ば操作が事実上不可能となることもある。また複雑な機構というものは，メンテナンスが
大変であるとか，清掃しにくいといった点でも問題である。さらに，既存のキッチン設備
への後付けもしにくい。
【０００６】
本発明は，前記した従来の技術が有する問題点を解決するためになされたものである。
すなわちその課題とするところは，収納位置から引き出し可能であるとともに，収納位置
では開口箇所が覆われるようになっている蓋付き収納容器装置を，簡単な機構で提供する
ことにある。
【課題を解決するための手段】
【０００７】
本発明の一態様における蓋付き収納容器装置は，奥側の収納位置から手前側の引き出し
位置に引き出し可能であり，上方が開口したボックス体と，ボックス体が収納位置にある
ときにボックス体の開口を覆う蓋体と，蓋体に対してボックス体の引き出し方向の手前側
の位置に固定して配置された固定部材と，蓋体におけるボックス体側の面から張り出して
設けられ，ボックス体が収納位置にあるとき及び引き出し位置に引き出されたときのいず
れでもボックス体に接触する接触部材と，ボックス体に設けられ，接触部材と接するガイ
ド面と，蓋体におけるボックス体側の部位と，ボックス体における蓋体側を向いた面上の
部位と，の少なくとも一方に設けられ，ボックス体が収納位置にあるときにボックス体の
開口を密閉するシール部材とを有するものである。
【０００８】
上記態様における蓋付き収納容器装置では，ボックス体が収納位置にあるとき，蓋体が
ボックス体の上方に位置している。ボックス体の上部の開口部は，蓋体により閉じられて
いる。こうしてボックス体の内部空間の密閉性がシール部材により維持されている。ボッ
クス体を収納位置から引き出し位置に引き出すと，ボックス体の開口部が蓋体により閉じ
られていない状態となる。ボックス体を引き出しても，蓋体はそのままの位置に留まるか
らである。蓋体がボックス体とともに前方へ向けて移動することは，固定部材により阻止
されているからである。この移動の際にも，蓋体に設けられている接触部材が，ボックス
体のガイド面に接触し続ける。しかし複雑なリンク機構を介してはいないので，上記のよ
うなボックス体の開閉動作が簡単な機構で実現されている。
【０００９】
上記態様の蓋付き収納容器装置ではさらに，ボックス体が収納位置にあるときに接触部
材の直下となる位置の凹部が，ガイド面に形成されていることが望ましい。ガイド面と凹
部との高低差により，ボックス体が収納位置以外の位置にあるときには，収納位置にある
ときと比較して蓋体が持ち上げられることとなる。このため，蓋体とボックス体との密着
は，ボックス体の収納位置からの引き出し動作を開始するとすぐに解除されることとなる
。接触部材が凹部から脱出するからである。このため，ボックス体の引き出しおよび押し
込み動作の動作がさらに軽い。この蓋体の持ち上げ動作も，複雑なリンク機構を要さずに
実現されている。
【００１０】
凹部が形成されている態様の蓋付き収納容器装置ではさらに，接触部材として，蓋体の
重心よりもボックス体の引き出し方向の手前側に配置された第１接触部材と，蓋体の重心
よりもボックス体の引き出し方向の奥側に配置された第２接触部材とを有しており，凹部
は，ボックス体が収納位置にあるときに第１接触部材の直下となる位置および第２接触部
材の直下となる位置のいずれにも形成されていることが望ましい。このようにすると，ボ
ックス体を収納位置から引き出す際，蓋体の全体が持ち上げられることとなる。このため
，蓋体とボックス体との密着の解除がより確実である。
【００１１】
凹部が形成されているいずれかの態様の蓋付き収納容器装置ではさらに，凹部とガイド
面とを接続する傾斜領域が，凹部の奥側に隣接して形成されていることが望ましい。傾斜
領域は，奥側へ行くほど高くなる傾斜面である。このようになっていると，引き出し操作
の初期の動きがスムーズであることはもちろん，押し込み動作時にもメリットがある。す
なわち，押し込み動作の最終段階で接触部材が傾斜領域上に来ると，傾斜領域の作用によ
りボックス体が収納位置へ向かう力が働く。このためユーザーに，ボックス体を収納位置
へ押し込みきったという印象を与えることができる。
【００１２】
上記のいずれかの態様の蓋付き収納容器装置では，シール部材が，蓋体におけるボック
ス体側の部位に設けられるとともに，ボックス体における蓋体側を向いた面上の部位には
設けられていないことが望ましい。このようにすると，ボックス体を引き出し位置にした
とき，シール部材がユーザーに見えることがないので，外観上好ましい。
【００１３】
上記のいずれかの態様の蓋付き収納容器装置では，ボックス体が引き出し位置にあると
きに蓋体の奥側端部を下から支える蓋支え部材を有することが望ましい。蓋支え部材の存
在により，ボックス体が引き出されているときでも，蓋体の奥側端部が過度に下降するこ
とが防止される。なお蓋支え部材は，収納位置のボックス体を収納する構造体の一部であ
ってもよいし，ボックス体の一部であってもよい。
【発明の効果】
【００１４】
本構成によれば，収納位置から引き出し可能であるとともに，収納位置では開口箇所が
覆われるようになっている蓋付き収納容器装置が，簡単な機構で提供されている。
【図面の簡単な説明】
【００１５】
【図１】実施の形態に係る蓋付き収納容器装置の外観を示す斜視図（その１）である。
【図２】実施の形態に係る蓋付き収納容器装置の外観を示す斜視図（その２）である。
【図３】実施の形態に係る蓋付き収納容器装置の外観を示す斜視図（その３）である。
【図４】上引き出しを示す斜視図である。
【図５】上引き出しを引き出し台とボックス体とに分解して示す斜視図である。
【図６】蓋体を上方から見て示す斜視図である。
【図７】蓋体を裏面側から見て示す斜視図である。
【図８】構造体中における上引き出し（収納位置）および蓋体を示す透視図である。
【図９】構造体中における上引き出し（引き出し途中の位置）および蓋体を示す透視図である。
【図１０】蓋体のキャスターと図５中の傾斜面との関係を示す側面図である。
【図１１】推奨される弾性部材の配置位置を示すための蓋板の平面図である。
【図１２】蓋体およびボックス体についての変形例（収納位置）を示す透視図である。
【図１３】蓋体およびボックス体についての変形例（引き出し途中の位置）を示す透視図である。
【発明を実施するための形態】
【００１６】
以下，本発明を具体化した実施の形態について，添付図面を参照しつつ詳細に説明する
。本形態は，図１〜図３に示される蓋付き収納容器装置１として本発明を具体化したもの
である。図１に示される蓋付き収納容器装置１は，構造体２に，上引き出し３および下引
き出し４を設けたものである。上引き出し３および下引き出し４はいずれも，図１中で左
下向きに引き出し可能なものである。ただし本発明としての特徴部分は上引き出し３にあ
り，下引き出し４は一般的なものである。したがって以下では，下引き出し４については
説明を省略する。
【００１７】
図２に，上引き出し３を引き出し位置に引き出している状況を示す。これに対して図１
中に示されている上引き出し３の位置は，構造体２に収納されている収納位置である。構
造体２の内部には蓋体５が配置されている。蓋体５は，上引き出し３を収納位置にしたと
きにその上方に位置するものである。図３に示すように，蓋付き収納容器装置１は実際に
は上面板６を有している。図１および図２は，蓋体５を見せるために上面板６を取り外し
た状態での蓋付き収納容器装置１を示している。通常は蓋体５をユーザーが見ることはな
い。なお蓋付き収納容器装置１は，キッチン設備の一部として使用されるものである。実
際のキッチン設備では，図３の蓋付き収納容器装置１の右下側や左上側に，同じ高さおよ
び同じ奥行きの設備（シンクやコンロがそこに含まれる。）を並べて一体のものとされて
いる。
【００１８】
図４に，上引き出し３を単体の状態で示す。図４に示されるように上引き出し３は，上
方が開口した箱状のものである。上引き出し３は図５に示されるように，引き出し台７と
ボックス体８とにより構成されている。引き出し台７は前面板９と荷台部１０とを有して
いる。図４中の上引き出し３は，荷台部１０の上にボックス体８が載せられている構成の
ものである。ボックス体８は，収容物を収容する容器である。
【００１９】
図５に示されるボックス体８は，全体としてバスタブ状のものである。ボックス体８の
上端には，フランジ部１２が形成されている。ボックス体８におけるフランジ部１２より
下方のバスタブ状の部分をボックス部１１という。ボックス体８を上方から見ると長方形
状である。その縁辺にフランジ部１２が位置しておりその内部が開口部である。フランジ
部１２の一対の長辺に沿って，ガイド面１３が形成されている。ガイド面１３は，上引き
出し３の引き出しおよび押し込み動作と平行な方向に長尺状に形成されている。
【００２０】
ガイド面１３における図５中で左端および右端に，凹部１４，１５が形成されている。
凹部１４，１５はいずれも，ガイド面１３より低い箇所である。凹部１４は，ボックス体
８を引き出し台７に載せた状態で前面板９のすぐ後ろ側辺りに位置する。凹部１５は，上
引き出し３の全体の中でも構造体２における奥側寄りに位置する。さらに，凹部１４，１
５の図５中で右側に隣接して，傾斜領域１６，１７が形成されている。傾斜領域１６，１
７はいずれも，奥側（図５中で右側）へ行くほど高くなる向きの傾斜領域である。傾斜領
域１６のさらに右側は，ガイド面１３のうち凹部１４，１５，傾斜領域１６，１７のいず
れでもない箇所２９に繋がっている。傾斜領域１７のさらに右側は，フランジ部１２のう
ちガイド面１３でない部分の上面１８に繋がっている。傾斜領域１６，１７は，凹部１４
，１５とガイド面１３とを接続している。
【００２１】
次に，図１中および図２中に見えている蓋体５について説明する。蓋体５は，図６に示
されるように蓋板２０に計４個のキャスター２１，２２を取り付けたものである。図６で
は理解の容易のためキャスター２１，２２を剥き出しに描いているが，実際にはキャスタ
ー２１，２２を上方からキャップ部材で覆うことが望ましい。ボックス体８に対する密閉
性を蓋体５に持たせるためである。キャスター２１は，蓋板２０の重心よりも後述する引
き出し移動の方向に手前側に配置されている。本形態では特に，蓋板２０における前端寄
りの位置としている。キャスター２２は，蓋板２０の重心よりも引き出し移動の方向に後
方側の位置に配置されている。キャスター２１，２２の位置は，前述のボックス体８にお
ける凹部１４，１５の位置に合わせて配置されたものである。すなわち，ボックス体８（
上引き出し３）が図１，図３に示した収納位置にあるときに，前方の凹部１４の上に前方
のキャスター２１が，後方の凹部１５の上に後方のキャスター２２が，それぞれ位置する
ようにされている。キャスター２１，２２の車輪の一部は，蓋板２０の下面からボックス
体８に向かって張り出している。
【００２２】
蓋板２０の前端には，上向きに折り曲げられてなる折り曲げ部２３が形成されている。
さらに図７に示されるように，蓋体５の裏面には，蓋板２０の縁辺に沿ってパッキン２４
が設けられている。なお本形態では，キャスター２１，２２として，車軸が蓋板２０の厚
さの範囲内に位置するタイプのものを使用している。このため，キャスター２１，２２の
車輪の蓋板２０の板面からの張り出し高さは，車輪の半径より小さい。
【００２３】
続いて，蓋付き収納容器装置１における上引き出し３や蓋体５の保持構造を説明する。
図８に示すように，収納位置における上引き出し３のほぼ全体が，構造体２の内部に位置
している。さらに前述のように，収納位置における上引き出し３の上方に蓋体５が位置し
ている。そしてこの状態で，蓋体５の後端２５がボックス体８（上引き出し３）の後端よ
りさらに後方へややはみ出している。なお図８においても図１と同様に，図３に示した上
面板６を省略している。
【００２４】
蓋体５の後端２５のすぐ下に，後方蓋ガイド２６が設けられている。荷台部１０（上引
き出し３）の直下には引き出しガイド２７が設けられている。後方蓋ガイド２６および引
き出しガイド２７はいずれも，構造体２の内部に固定して取り付けられているものである
。蓋体５の折り曲げ部２３の前方には，前方蓋ガイド２８が設けられている。前方蓋ガイ
ド２８の位置は，蓋体５に対して上引き出し３引き出し方向に手前側の位置である。前方
蓋ガイド２８も構造体２における１つの固定部材である。ただし本形態における前方蓋ガ
イド２８は，構造体２における前面側の外板を兼ねている。
【００２５】
図８から，蓋体５の前方のキャスター２１がボックス体８（上引き出し３）の前方の凹
部１４に，後方のキャスター２２が後方の凹部１５に，それぞれ嵌り込んでいることが分
かる。この状態で蓋板２０（蓋体５）の裏面がボックス体８のフランジ部１２の上面１８
（図５参照）に密着している。図７に示したパッキン２４が，ボックス体８と蓋板２０と
の接触箇所を密閉している。蓋体５の自重によりパッキン２４がボックス体８の上面１８
に押し付けられるからである。
【００２６】
次に，図８の状態から上引き出し３を図中で左向きに引き出すときにおける蓋付き収納
容器装置１の各部の動作を説明する。上引き出し３を引き出すときには，ユーザーが手動
操作にて上引き出し３の前面板９を図８中で左向きに引っぱればよい。この動作は，収納
容器装置１を，図１（図３）に示した状態から図２に示した状態に移行させる動作に該当
する。
【００２７】
前面板９を図８中で左向きに移動させると，ボックス体８を含めた上引き出し３の全体
が，引き出しガイド２７の上を摺動して左向きに移動することとなる。しかしながら，ボ
ックス体８の上にある蓋体５は，ボックス体８とともに左向きに移動することができない
。蓋体５の左向きに移動は，前方蓋ガイド２８により阻止されているからである。このた
め，蓋体５は構造体２の内部に留まり，上引き出し３のみが構造体２から引き出されてく
る。
【００２８】
このため，引き出し操作を始めるとすぐに，蓋体５のキャスター２１，２２が，ボック
ス体８の傾斜領域１６，１７に乗り上げ，さらにガイド面１３（箇所２９），上面１８に
乗り上げる。すなわち蓋体５は，図８中で水平方向には動かず，わずかながら上向きに移
動するのである。これにより，前述のパッキン２４によるボックス体８の密閉が解除され
る。したがってキャスター２１，２２がガイド面１３及び上面１８に乗り上げた以後には
，上引き出し３の引き出し移動に対する抵抗は，引き出しガイド２７に対する摺動抵抗と
，キャスター２１，２２の転がり抵抗くらいしかない。このため引き出し操作は，引き初
めの一瞬を除いて非常に軽い操作である。
【００２９】
引き出し操作をさらに続けていくと，後方のキャスター２２がボックス体８のフランジ
部１２より後方に逸脱する。この状態を図９に示す。図９に示される状態では，前方のキ
ャスター２１はフランジ部１２（ボックス体８）の箇所２９上にある。一方，後方のキャ
スター２２のすぐ下には何もない。しかし蓋板２０の後端２５が後方蓋ガイド２６に支え
られている。このため蓋体５の全体の姿勢は，図８中と図９中とであまり大きくは変わら
ない。なおガイド面１３と上面１８との段差（図５参照）は，実際にはごくわずかでよい
。前述の図２の状態は，図９の状態からさらにもう少し上引き出し３を引き出した状態に
相当する。なお，図９は引き出し途中の状態を示すものとしている。「引き出し位置」に
はこのような途中の状態での位置も含まれる。
【００３０】
続いて，上引き出し３を引き出し位置から押し込んでいくときの動作を説明する。引き
出し位置にある上引き出し３の前面板９をユーザーが図９中で右向きに押し込むと，前述
の引き出し動作時とは逆に，上引き出し３の全体が，引き出しガイド２７の上を摺動して
右向きに移動していく。これによりやがて，蓋体５の後方のキャスター２２がボックス体
８の上面１８に載る。このとき，ボックス体８のフランジ部１２の後端のキャスター２２
の車輪への引っ掛かりはごく軽い。押し込み動作の妨げにはならない。前述のように蓋板
２０からのキャスター２２の車輪の張り出し高さは小さいからである。
【００３１】
その後もさらに上引き出し３を押し込んでいくと，図８（図１）の収納位置に戻る。こ
れにより押し込み動作が完了する。その少し前に，蓋体５のキャスター２１，２２が図５
に示した傾斜領域１６，１７に掛かる瞬間がある。このとき図１０に示すように，傾斜領
域１６，１７の傾斜により，キャスター２１，２２から傾斜領域１６，１７に掛かる蓋体
５の重力Ｇの一部が，傾斜領域１６，１７を図１０で右向きに押し付ける力Ｂとして作用
する。このため，上引き出し３を押し込む操作をしているユーザーは，押し込み完了の直
前に一瞬，上引き出し３が自ら奥向きに引き込まれていくように感じることとなる。これ
によりユーザーに，上引き出し３の押し込み動作が確かに完了したとの印象を持たせるこ
とができる。なお，この力Ｂは，引き出し操作の開始時には一瞬，操作に対する抵抗とし
て作用することになる。ただし，ユーザーに重さを感じさせるほどのものではない。
【００３２】
上記のように本形態の蓋付き収納容器装置１においては，次の利点がある。第１に，上
引き出し３をその収納位置から引き出し可能であるとともに，収納位置では開口箇所が覆
われるようになっており，それでいて機構が簡単なことである。ここでいう機構が簡単で
あるとは，複雑なリンク機構を必要としない，ということである。複雑なリンク機構とは
例えば，上引き出し３の進退方向の移動と蓋体５の昇降方向の移動とを機械的に連結する
ようなリンク機構のことである。本形態では基本的に，ボックス体８（上引き出し３）に
おける上面１８，ガイド面１３と，凹部１４，１５との段差により，蓋体５を昇降させて
いる。このため，複雑なリンク機構を必要としないのである。複雑なリンク機構を必要と
しないということは，メンテナンスが容易であり，リンク機構の構成部品の腐食による劣
化の心配がないという点でも利点である。
【００３３】
第２に，上引き出し３の引き出しおよび押し込みの操作が軽い，ということである。上
記のように複雑なリンク機構を用いていないということはそのこと自体，操作を重くする
要因が少ないということを意味する。フリクションロスが少ないからである。そして本件
では上記のように，引き出し操作を開始するとすぐに蓋体５が上昇してパッキン２４の密
着が解除される。このため操作の大部分において，パッキン２４の摩擦も無縁である。こ
のことも操作の軽さに貢献している。
【００３４】
第３に，収納位置ではボックス体８の収容空間が確実に密閉されるということが挙げら
れる。前述のように収納位置では蓋体５のパッキン２４がボックス体８の上面１８に密着
するからである。このため，ボックス体８の収容空間の気密性が高いのである。したがっ
て，上引き出し３を例えば食品庫として，何らかの脱湿部材をボックス体８に同封して使
用する場合に，長期間にわたって低湿度な内部環境を維持し，収容している食品の劣化を
抑制することができる。あるいは，上引き出し３を例えば廃棄食材の投入箱として使用す
る場合に，長期間にわたって臭気漏れを防ぐことができる。もしくは，上引き出し３を食
器洗浄機の外枠ボディとして使用する場合に，洗浄中における洗剤の液漏れを防ぐことが
できる。
【００３５】
第４に，上引き出し３を引き出したときにおける外観上の見栄えがよいということが挙
げられる。パッキン２４が蓋体５の裏面に設けられておりボックス体８の上面１８には設
けられていないからである。このため，上引き出し３を引き出したときにパッキン２４が
ユーザーの目に入らないのである。密閉性という観点からいえばパッキン２４は，蓋体５
の裏面とボックス体８の上面１８との少なくとも一方に設けられていれば十分である。本
形態では，パッキン２４を蓋体５の裏面に設けることで，引き出し時の外観にも配慮して
いる。
【００３６】
以上詳細に説明したように本実施の形態の蓋付き収納容器装置１では，引き出し動作が
可能な上引き出し３の上面１８の一部にガイド面１３および凹部１４，１５を設けている
。そして，上引き出し３を収納位置にしたときに限り，蓋体５のキャスター２１，２２が
凹部１４，１５に進入して上引き出し３が閉鎖されるようにしている。これにより，収納
位置から引き出し可能であるとともに，収納位置では開口箇所が覆われるようになってい
る蓋付き収納容器装置１を，簡単な機構で実現している。
【００３７】
なお，本実施の形態は単なる例示にすぎず，本発明を何ら限定するものではない。した
がって本発明は当然に，その要旨を逸脱しない範囲内で種々の改良，変形が可能である。
例えば，パッキン２４の位置を前述のように変更することができる。パッキン２４の少な
くとも一部がボックス体８の上面１８に設けられていても，収納位置での密閉性は十分に
得られるからである。
【００３８】
蓋体５を下向きに押し付ける弾性部材を設けることができる。前述の形態では，上引き
出し３を収納位置に戻したときの蓋体５の下向きの移動の動力源は，蓋体５の自重のみと
していた。これに加えて，弾性部材の弾力を利用してより確実に蓋体５を上引き出し３に
押し付けるようにしてもよいのである。弾性部材（例えばバネ）を設ける位置は，蓋板２
０より上方であって蓋板２０の板面内であれば任意である。これにより，上面板６と蓋板
２０とに挟まれた弾性部材が，蓋体５を下向きに押し付ける押圧力を発生することとなる
。
【００３９】
弾性部材を設ける蓋板２０の板面内における位置は，前述のように任意ではある。推奨
される位置としては，図１１に示される位置を挙げることができる。すなわち弾性部材の
推奨位置として，図１１における矢印Ａで示される４箇所を挙げることができる。あるい
は，矢印Ａの４箇所にさらに矢印Ｂの２箇所を追加した計６箇所を挙げることもできる。
矢印Ａの４箇所とは，蓋板２０の四隅付近の位置，ということである。矢印Ａおよび矢印
Ｂの６箇所とは，蓋板２０の四隅に対して長手方向の中間位置２箇所を追加した位置であ
る。
【００４０】
要は，蓋板２０の板面全体をなるべく偏りなく均等に押圧できるように弾性部材を配置
することが望ましい，ということである。さらには，上引き出し３側からの反力との関係
で，蓋板２０に過度の応力を掛けない配置であることがより好ましい，といえる。この観
点からは，弾性部材の配置位置はキャスター２１，２２の位置に近い方がよい。弾性部材
の位置とキャスター２１，２２の位置とを一致させてもよい。ただしその場合には，キャ
スター２１，２２の車輪の回転が弾性部材により邪魔されないような工夫をした方がよい
。
【００４１】
蓋体５の構成について種々の変形を考えることができる。例えば，キャスターは４個必
要という訳ではない。前方の２個のキャスター２１のみで後方のキャスターを省略した構
成も可能である。この場合，上引き出し３を進退動作させると，ボックス体８のフランジ
部１２の後端が蓋板２０の下面と摺動することになる。それでも，前述の本形態の蓋付き
収納容器装置１の機能自体は実現可能である。
【００４２】
あるいは，後方のキャスター２２を，蓋体５に設ける代わりに，上引き出し３に設ける
ことができる。そのようにした変形例を，図１２，図１３に示す。図１２は図８に相当す
る収納状態であり，図１３は図９に相当する引き出し途中の状態である。この変形例では
，上引き出し３の一部であるボックス体８に延長部３１を設けている。延長部３１は，ボ
ックス体８のうちフランジ部１２（図５参照）の部分を後方に延長した部分である。そし
て延長部３１には，キャスター３３が設けられている。この図１２，図１３中のキャスタ
ー３３は，前述の形態では蓋体５に設けていた後方のキャスター２２に相当するものであ
る。
【００４３】
さらに図１２，図１３の変形例ではボックス体８に，図５に示した前方の凹部１４およ
び前方の傾斜領域１６が形成されている。これに対し，後方の凹部１５および後方の傾斜
領域１７は形成されていない。蓋板３０（蓋板２０に相当）には，前方のキャスター２１
は設けられているが後方のキャスター２２は設けられていない。さらに蓋板３０の後端に
は，傾斜領域３２が形成されている。傾斜領域３２は，下後方を向いている面である。他
の部分は前述の形態と同様の構成である。
【００４４】
図１２，図１３の変形例でも，収納状態（図１２）では，前述の形態の場合の収納状態
（図８）と同様に，蓋板３０がボックス体８に密着することでパッキン２４によりボック
ス体８が密閉されている。この状態から前面板９を図中で左方に引き出すと，上引き出し
３の全体が左向きに移動していく。その際にこの変形例では，後方のキャスター３３も，
上引き出し３とともに左向きに移動していく。
【００４５】
この変形例では上引き出し３のこの引き出し移動の際にまず，蓋板３０が少し上昇する
。前方のキャスター２１が前方の凹部１４からボックス体８の上面に乗り上げることと，
フランジ部１２の後方の延長部３１が前進してくる後方のキャスター３３に押し上げられ
ることとによる。これにより結果的に，前述の形態の場合と同様に，蓋体５の密着が解除
される。こうして上引き出し３は，前述の形態の場合と同様に引き出し状態（図１３）と
なる。この引き出し状態における蓋板３０の後端は，前述の形態では後方蓋ガイド２６，
すなわち構造体２の一部分により支えられていた（図９）。これに対し，この変形例では
キャスター３３，すなわち上引き出し３の一部分により支えられている。なお，キャスタ
ー３３でなく延長部３１で蓋板３０の後端を支えるものであってもよい。
【００４６】
この変形例で引き出し状態から押し込み動作を行うと，キャスター３３を含めた上引き
出し３の全体が奥向きに移動していくこととなる。この押し込み動作の最終段階では，傾
斜領域１６および傾斜領域３２の作用により前述の形態の場合と同様に，上引き出し３が
自ら引き込まれていくようにユーザーが感じることとなる。さらに，この変形例の場合で
も，図１１を用いて説明した弾性部材を設けることは，可能である。
【００４７】
蓋板２０（３０）の前端の形状は任意であり，折り曲げ部２３が必ず形成されていなけ
ればならない訳ではない。前方蓋ガイド２８との関係で，蓋体５が上引き出し３とともに
引き出されることを阻止できればよい。蓋板２０（３０）の後端の形状も同様に任意であ
る。引き出し状態にしたときに後方蓋ガイド２６（図９）もしくは延長部３１及びキャス
ター３３（図１３）のいずれかにより支えられることができる形状であればよい。
【００４８】
フランジ部１２に凹部１４，１５，傾斜領域１６，１７が設けられていないものであっ
ても，上引き出し３の引き出しおよび押し込みは可能である。この場合，蓋板２０（３０
）は上引き出し３に対して密着したままとなる。ただし，収納状態にて上引き出し３が覆
われていることに変わりはない。また引き出し状態では上引き出し３が覆われていないこ
とにも変わりはない。
【００４９】
図１等に示した蓋付き収納容器装置１の全体において前述の形態もしくはその変形例の
ような上引き出し３を，図１中における上段に限らず，中段（下引き出し４の位置）もし
くは下段（下引き出し４の下の空いている位置）に設けてもよい。さらに，図１等に示し
た蓋付き収納容器装置１の全体を商品として供給するばかりでなく，既存の構造体２に後
付けするための上引き出し３および蓋体５を商品として供給することもできる。その場合
，既存の構造体２に後方蓋ガイド２６に相当するものがない場合には，後方蓋ガイド２６
も後付けすることになる。図１２，図１３の変形例ではその必要もない。
【００５０】
キャスター２１，２２，３３を，車輪を有しない下向きの凸状部分で置き替えてもよい
。当該凸状部分が常時，ボックス体８のガイド面１３，凹部１４，１５，傾斜領域１６，
１７に接触していればよい。この場合に当該凸状部分は，上引き出し３の引き出し動作ま
たは押し込み動作により，ガイド面１３等に対して摺動することとなる。
【符号の説明】
【００５１】
１    蓋付き収納容器装置
３    上引き出し
５    蓋体
８    ボックス体
１１  ボックス部
１３  ガイド面
１４  凹部
１５  凹部
１６  傾斜領域
１７  傾斜領域
２０  蓋板
２１  キャスター（第１接触部材）
２２  キャスター（第２接触部材）
２３  折り曲げ部
２４  パッキン
２５  蓋体の後端
２６  後方蓋ガイド（蓋支え部材）
２８  前方蓋ガイド（固定部材）
３０  蓋板
３１  延長部（蓋支え部材）
３２  傾斜領域
３３  キャスター（第２接触部材）
【図１】
2020127602.tif 000003
【図２】
2020127602.tif 000004
【図３】
2020127602.tif 000005
【図４】
2020127602.tif 000006
【図５】
2020127602.tif 000007
【図６】
2020127602.tif 000008
【図７】
2020127602.tif 000009
【図８】
2020127602.tif 000010
【図９】
2020127602.tif 000011
【図１０】
2020127602.tif 000012
【図１１】
2020127602.tif 000013
【図１２】
2020127602.tif 000014
【図１３】
2020127602.tif 000015